(57)【要約】      （修正有）【課題】安全、快適で、良好な乳房支持効果を達成するブラジャーカップ構造を提供する。【解決手段】第１のエアーメッシュ生地層２００と、第１のエアーメッシュ生地層２００に接続される第２のエアーメッシュ生地層３００と、積層して接続される第１の中間生地層４１０、第２の中間生地層４２０及び複数の第３の中間生地層４３０を含み、第１のエアーメッシュ生地層２００と第２のエアーメッシュ生地層３００との間に設けられるメッシュ生地介在層４００と、を備え、複数の第３の中間生地層４３０は、第１の中間生地層４１０と第２の中間生地層４２０との間に積層して設けられ、第２のエアーメッシュ生地層３００に対応して、突起部が形成される。ブラジャーカップ構造は、複数層のエアーメッシュ生地層の積層配置によって良好な乳房支持効果を達成することができる。【選択図】図１
0003216261.tif 000002
【実用新案登録請求の範囲】
【請求項１】
第１のエアーメッシュ生地層と、
前記第１のエアーメッシュ生地層に接続される第２のエアーメッシュ生地層と、
第１の外側面及び第１の内側面を有し、且つ前記第１の外側面が前記第１のエアーメッシュ生地層に向かう第１の中間生地層と、第２の外側面及び第２の内側面を有し、前記第２の外側面が前記第２のエアーメッシュ生地層に向かい、且つ前記第２の内側面が前記第１の内側面に向かい前記第１の内側面に積層して接続される第２の中間生地層と、前記第１の中間生地層と前記第２の中間生地層との間に積層して設けられる複数の第３の中間生地層と、を含み、前記第１のエアーメッシュ生地層と前記第２のエアーメッシュ生地層との間に設けられるメッシュ生地介在層と、
を備え、
前記第２のエアーメッシュ生地層は、前記第３の中間生地層の位置に対応して、前記第２のエアーメッシュ生地層の表面から突出する突起部が形成されるブラジャーカップ構造。
【請求項２】
前記第１の中間生地層、前記第２の中間生地層及び前記第３の中間生地層の材質は、何れもエアーメッシュ生地である請求項１に記載のブラジャーカップ構造。
【請求項３】
各前記第３の中間生地層の面積は、同時に前記第１の中間生地層の面積と前記第２の中間生地層の面積よりも小さい請求項１に記載のブラジャーカップ構造。
【請求項４】
前記ブラジャーカップ構造は、外側面及び内側面を有し、且つ前記外側面から前記内側面へ、前記第１のエアーメッシュ生地層、前記メッシュ生地介在層及び前記第２のエアーメッシュ生地層の順序で設置され、且つ前記突起部が前記ブラジャーカップ構造の前記内側面から突出する請求項１に記載のブラジャーカップ構造。
【請求項５】
前記第３の中間生地層の面積は、前記ブラジャーカップ構造の前記外側面から前記内側面へ逓減する請求項４に記載のブラジャーカップ構造。
【請求項６】
第１のエアーメッシュ生地層と、
前記第１のエアーメッシュ生地層に接続される第２のエアーメッシュ生地層と、
第１の外側面及び第１の内側面を有し、且つ前記第１の外側面が前記第１のエアーメッシュ生地層に向かう第１の中間生地層と、第２の外側面及び第２の内側面を有し、前記第２の外側面が前記第２のエアーメッシュ生地層に向かい、且つ前記第２の内側面が前記第１の内側面に向かい前記第１の内側面に積層して接続される第２の中間生地層と、前記第１の中間生地層と前記第２の中間生地層との間に積層して設けられる複数の第３の中間生地層と、を含み、前記第１のエアーメッシュ生地層と前記第２のエアーメッシュ生地層との間に設けられるメッシュ生地介在層と、
前記第２のエアーメッシュ生地層に部分的に接続されてポケット構造を形成する裏地生地層と、
を備え、
前記第２のエアーメッシュ生地層は、前記第３の中間生地層の位置に対応して、前記第２のエアーメッシュ生地層の表面から突出する突起部が形成されるブラジャーカップ構造。
【請求項７】
前記第１の中間生地層、前記第２の中間生地層及び前記第３の中間生地層の材質は、何れもエアーメッシュ生地である請求項６に記載のブラジャーカップ構造。
【請求項８】
各前記第３の中間生地層の面積は、同時に前記第１の中間生地層の面積と前記第２の中間生地層の面積よりも小さい請求項６に記載のブラジャーカップ構造。
【請求項９】
前記ブラジャーカップ構造は、外側面及び内側面を有し、且つ前記外側面から前記内側面へ、前記第１のエアーメッシュ生地層、前記メッシュ生地介在層、前記第２のエアーメッシュ生地層及び前記裏地生地層の順序で設置され、且つ前記突起部が前記ブラジャーカップ構造の前記内側面から突出する請求項６に記載のブラジャーカップ構造。
【請求項１０】
前記第３の中間生地層の面積は、前記ブラジャーカップ構造の前記外側面から前記内側面へ逓減する請求項９に記載のブラジャーカップ構造。
【考案の詳細な説明】
【技術分野】
【０００１】
本考案は、ブラジャーカップ構造に関し、特に、複数層のエアーメッシュ生地で積層されるブラジャーカップ構造に関する。
【背景技術】
【０００２】
ブラジャーは、胸を支持する基本的な機能以外、更に女性の乳房を保護しカバーして、女性の移動性を高めることができる。ブラジャーの構造において、最も重要な部分は、乳房を覆う２つのブラジャーカップ構造である。ブラジャーカップの構造の優劣は、ブラジャーの調節機能と着用感に直接的に影響を与えるので、ブラジャーカップ構造の好適な設計により乳房を効果的に覆うと共に、乳房の形状を調節して整形する目的を満足させて、全体としての着用をより快適で美しくすることができる。
【０００３】
従来のブラジャーカップの構造は、シルクコットンや発泡コットンにより製造されることが多い。発泡コットンからなるブラジャーカップは、構造に柔らかい感触があり、ホットプレス成形が容易であるという特徴を利用して大規模に製造し、更に発泡コットンをブラジャーカップの製造に広く使用することができる。しかし、シルクコットンや発泡コットンで作られたブラジャーカップは、通気性に劣るという問題があり、又は繰り返して洗浄されると、ブラジャーカップ構造に変形等の不具合がある。また、発泡コットンは、主にポリエステル（ｐｏｌｙｅｓｔｅｒ）やポリエーテル（ｐｏｌｙｅｔｈｅｒ）等の石油化学原料を発泡させて製造され、製造工程で多量の有機溶剤が使用される。発泡コットンで製造されるブラジャーを長時間着用すると、発泡コットンに残っている有機溶剤に乳房が曝され、皮膚を刺激してアレルギーを引き起こす可能性がある。
【０００４】
また、従来のブラジャーカップ構造では、ブラジャーカップ構造の支持効果を向上させるために、ブラジャーカップ構造内に発泡コットン等の充填材を更に設けて、乳房を支持する効果が得られる。しかし、発泡コットンによる充填や厚さの増加は、ブラジャーカップ構造の通気性に更に影響を及ぼし、使用者の着用時の蒸し暑さ、湿り等の不快感を増加させる。発泡コットンによって厚くすると、ブラジャーカップ構造の弾性を更に影響して、ブラジャーカップの重さを大幅に増やし、快適な着用性が不十分になる。
【０００５】
従って、如何にラブラジャーカップの構造を更に改善し、その支持機能を高め、更に着用の心地の高い程度を達成することは、現在の女性のラブラジャー開発者に求められる最大の目標となっている。
【考案の概要】
【考案が解決しようとする課題】
【０００６】
本考案の一目的は、第１のエアーメッシュ生地層、第２のエアーメッシュ生地層及びメッシュ生地介在層の積層配置によってブラジャーカップ構造における充填物を置換することによって、更に安全、快適の前提で良好な乳房の支持効果を達成するブラジャーカップ構造を提供することにある。
【０００７】
本考案の別の目的は、複数層のエアーメッシュ生地層の配置によって良好な弾性を持たせ、同時に優れた通気性を持たせるブラジャーカップ構造を提供することにある。
【課題を解決するための手段】
【０００８】
本考案の一実施形態は、第１のエアーメッシュ生地層と、第１のエアーメッシュ生地層に接続される第２のエアーメッシュ生地層と、第１の外側面及び第１の内側面を有し、且つ第１の外側面が第１のエアーメッシュ生地層に向かう第１の中間生地層と、第２の外側面及び第２の内側面を有し、第２の外側面が第２のエアーメッシュ生地層に向かい、且つ第２の内側面が第１の内側面に向かい、第１の内側面に積層して接続される第２の中間生地層と、第１の中間生地層と第２の中間生地層の間に積層して設けられる複数の第３の中間生地層と、を含み、第１のエアーメッシュ生地層と第２のエアーメッシュ生地層との間に設けられるメッシュ生地介在層と、を備え、第２のエアーメッシュ生地層は、複数の第３の中間生地層の位置に対応して、第２のエアーメッシュ生地層の表面から突出する突起部が形成されるブラジャーカップ構造を提供する。
【０００９】
前記実施形態のブラジャーカップ構造によれば、第１の中間生地層、第２の中間生地層及び第３の中間生地層の材質は、何れもエアーメッシュ生地であってもよい。
【００１０】
前記実施形態のブラジャーカップ構造によれば、各第３の中間生地層の面積は、同時に第１の中間生地層の面積と第２の中間生地層の面積よりも小さくてもよい。
【００１１】
前記実施形態のブラジャーカップ構造によれば、ブラジャーカップ構造は、外側面及び内側面を有し、且つ外側面から内側面へ、第１のエアーメッシュ生地層、メッシュ生地介在層及び第２のエアーメッシュ生地層の順序で設置されてもよく、且つ突起部がブラジャーカップ構造の内側面から突出する。
【００１２】
前記実施形態のブラジャーカップ構造によれば、複数の第３の中間生地層の面積は、外側面から内側面へ逓減する。
【００１３】
これによって、本考案のブラジャーカップ構造は、第１のエアーメッシュ生地層、第２のエアーメッシュ生地層及びメッシュ生地介在層の積層配置によってブラジャーカップ構造における充填物を置換することによって、良好な弾性と通気性を持たせ、積層して配置される第３の中間生地層に対応的に形成される突起部によって効果的に乳房を支持し、更に安全、快適の前提で良好な乳房支持効果を達成することができる。
【００１４】
本考案の別の実施形態は、第１のエアーメッシュ生地層と、第１のエアーメッシュ生地層に接続される第２のエアーメッシュ生地層と、第１の外側面及び第１の内側面を有し、且つ第１の外側面が第１のエアーメッシュ生地層に向かう第１の中間生地層と、第２の外側面及び第２の内側面を有し、第２の外側面が第２のエアーメッシュ生地層に向かい、且つ第２の内側面が第１の内側面に向かい、第１の内側面に積層して接続される第２の中間生地層と、第１の中間生地層と第２の中間生地層の間に積層して設けられる複数の第３の中間生地層と、を含み、第１のエアーメッシュ生地層と第２のエアーメッシュ生地層との間に設けられるメッシュ生地介在層と、第２のエアーメッシュ生地層に部分的に接続されてポケット構造を形成する裏地生地層と、を備え、第２のエアーメッシュ生地層は、第３の中間生地層の位置に対応して、第２のエアーメッシュ生地層の表面から突出する突起部が形成されるブラジャーカップ構造を提供する。
【００１５】
前記実施形態のブラジャーカップ構造によれば、第１の中間生地層、第２の中間生地層及び第３の中間生地層の材質は、何れもエアーメッシュ生地であってもよい。
【００１６】
前記実施形態のブラジャーカップ構造によれば、各第３の中間生地層の面積は、同時に第１の中間生地層の面積と第２の中間生地層の面積よりも小さくてもよい。
【００１７】
前記実施形態のブラジャーカップ構造によれば、ブラジャーカップ構造は、外側面及び内側面を有し、且つ外側面から内側面へ、第１のエアーメッシュ生地層、メッシュ生地介在層、第２のエアーメッシュ生地層及び裏地生地層の順序で設置されてもよく、且つ突起部はブラジャーカップ構造の内側面から突出する。
【００１８】
前記実施形態のブラジャーカップ構造によれば、複数の第３の中間生地層の面積は、ブラジャーカップ構造の外側面から内側面へ逓減する。
【考案の効果】
【００１９】
これによって、本考案のブラジャーカップ構造は、第１のエアーメッシュ生地層、第２のエアーメッシュ生地層及びメッシュ生地介在層の積層配置によってブラジャーカップ構造における充填物を置換して、良好な弾性と通気性を持たせ、第３の中間生地層に形成される突起部によって乳房を効果的に支持する。なお、裏地生地層が第２のエアーメッシュ生地層に部分的に接続されて形成されるポケット構造は、ブラパッド又は餃子型パッド等の補助材料を収納するために用いられて、胸をより美しくすることができる。
【図面の簡単な説明】
【００２０】
【図１】本考案の実施形態の実施例のブラジャーカップ構造を示す分解図である。
【図２】図１に示す実施例のブラジャーカップ構造を示す模式図である。
【図３】図２に示す実施例のブラジャーカップ構造の切断線２−２に沿う断面図である。
【図４】図２に示す実施例のブラジャーカップ構造のブラジャー本体と合わせるものを示す模式図である。
【図５】本考案の別の実施形態の実施例のブラジャーカップ構造を示す模式図である。
【図６】図５に示す実施例のブラジャーカップ構造を示す分解図である。
【図７】図５に示す実施例のブラジャーカップ構造の切断線５−５に沿う断面図である。
【考案を実施するための形態】
【００２１】
以下、図面を参照して、本考案の複数の実施例を説明する。明らかに説明するために、下記で多くの実際の細部を合わせて説明する。しかしながら、これらの実際の細部は本考案を制限するためのものではないことを理解すべきである。つまり、本考案の一部の実施例において、これらの実際の細部は必要なものではない。また、図面を簡略化するために、ある従来慣用の構造と素子を図面において簡単に模式的に示す。また、同一の素子は同一の番号で示すことがある。
【００２２】
図１及び図２を参照されたい。図１は、本考案の実施形態の実施例のブラジャーカップ構造１００を示す分解図である。図２は、図１に示す実施例のブラジャーカップ構造１００を示す模式図である。ブラジャーカップ構造１００は、第１のエアーメッシュ生地層２００と、第２のエアーメッシュ生地層３００と、メッシュ生地介在層４００と、を備える。
【００２３】
第２のエアーメッシュ生地層３００は、第１のエアーメッシュ生地層２００に接続される。メッシュ生地介在層４００は、第１のエアーメッシュ生地層２００と第２のエアーメッシュ生地層３００との間に設けられ、且つ第１の中間生地層４１０、第２の中間生地層４２０及び複数の第３の中間生地層４３０を含む。第１の中間生地層４１０は、第１の外側面４１１及び第１の内側面４１２を有し、且つ第１の外側面４１１が第１のエアーメッシュ生地層２００に向かう。第２の中間生地層４２０は、第２の外側面４２１及び第２の内側面４２２を有し、第２の外側面４２１が第２のエアーメッシュ生地層３００に向かい、且つ第２の内側面４２２が第１の内側面４１２に向かい、第１の内側面４１２に積層して接続される。複数の第３の中間生地層４３０は、第１の中間生地層４１０と第２の中間生地層４２０との間に積層して設けられる。
【００２４】
図１の実施例において、メッシュ生地介在層４００の第１の中間生地層４１０、第２の中間生地層４２０及び各第３の中間生地層４３０の材質は、何れもエアーメッシュ生地であり、第１のエアーメッシュ生地層２００、第２のエアーメッシュ生地層３００及びメッシュ生地介在層４００の緊密な積層接続によってブラジャーカップ構造１００に良好な弾性を付与し、エアーメッシュ生地の優れた通気特性によってブラジャーカップ構造１００に良好な通気性を持たせ、更に使用者がブラジャーカップ構造１００を着用する時の蒸し暑く、湿り等の不快感の発生するチャンスを低減させることができる。
【００２５】
図１の実施例において、第３の中間生地層４３０の数が４であり、且つ各第３の中間生地層４３０の面積は、同時に第１の中間生地層４１０の面積と第２の中間生地層４２０の面積よりも小さい。図１及び図２に示すように、第２のエアーメッシュ生地層３００が上記積層して配置される第３の中間生地層４３０の位置に対応して、第２のエアーメッシュ生地層３００の表面（未図示）から突出する突起部３１０が形成される。突起部３１０の配置によって、更にブラジャーカップ構造１００で乳房を支持する補助構造を提供して、胸の美しさを向上させることができる。なお、複数層のエアーメッシュ生地で接続して配置されるブラジャーカップ構造１００は、従来のブラジャーカップが変形しやすく且つ乳首が突出するという欠点を避けて、その使用寿命を延長させ着用の美しさを向上させることもできる。
【００２６】
図３及び図４を参照されたい。図３は、図２に示す実施例のブラジャーカップ構造１００の切断線２−２を沿う断面図である。図４は、図２に示す実施例のブラジャーカップ構造１００のブラジャー本体と合わせるものを示す模式図である。図３に示すように、ブラジャーカップ構造１００は、外側面１０１及び内側面１０２を有し、外側面１０１から内側面１０２へ、第１のエアーメッシュ生地層２００、メッシュ生地介在層４００及び第２のエアーメッシュ生地層３００の順序で設置される。ブラジャーカップ構造１００の外側面１０１は、第１のエアーメッシュ生地層２００の２側面における第２のエアーメッシュ生地層３００と接続しない側面であり、ブラジャーカップ構造１００の内側面１０２は、第２のエアーメッシュ生地層３００の２側面における第１のエアーメッシュ生地層２００と接続しない側面であり、且つ第３の中間生地層４３０の面積は、ブラジャーカップ構造１００の外側面１０１から内側面１０２へ逓減し、突起部３１０がブラジャーカップ構造１００の内側面１０２から突出する。第３の中間生地層４３０の面積が順にブラジャーカップ構造１００の外側面１０１から内側面１０２へ逓減する配置によって、突起部３１０がブラジャーカップ構造１００の内側面１０２に凸設される滑らかな突起構造を形成して、効果的に乳房を支持すると共に、ブラジャーカップ構造１００が乳房と接触する時の異物感を減少して、更に着用の快適さを向上させることができる。
【００２７】
説明すべきなのは、上記メッシュ生地介在層４００の第１の中間生地層４１０、第２の中間生地層４２０及び各第３の中間生地層４３０の材質は、エアーメッシュ生地材質であってもよいが、実際のニーズに応じて軽量の材質で交換してもよく、且つ上記の第１のエアーメッシュ生地層２００、第２のエアーメッシュ生地層３００、第１の中間生地層４１０と第２の中間生地層４２０の面積を実際のニーズに応じて調整してもよい。なお、第３の中間生地層４３０の数は実際のニーズに応じて配置されてもよいが、４つに限定されない。各第３の中間生地層４３０の面積を実際のニーズに応じて調整してもよく、且つ本考案は、上記説明又は図面の開示に限定されない。
【００２８】
図５及び図６を参照されたい。図５は、本考案の別の実施形態の実施例のブラジャーカップ構造１００ａを示す模式図である。図６は、図５に示す実施例のブラジャーカップ構造１００ａを示す分解図である。ブラジャーカップ構造１００ａは、第１のエアーメッシュ生地層２００ａ、第２のエアーメッシュ生地層３００ａ、メッシュ生地介在層４００ａ及び裏地生地層５００を備える。
【００２９】
第２のエアーメッシュ生地層３００ａは、第１のエアーメッシュ生地層２００ａに接続される。メッシュ生地介在層４００ａは、第１のエアーメッシュ生地層２００ａと第２のエアーメッシュ生地層３００ａとの間に設けられ、且つ第１の中間生地層４１０ａ、第２の中間生地層４２０ａ及び複数の第３の中間生地層４３０ａを含む。第１の中間生地層４１０ａは、第１の外側面４１１ａ及び第１の内側面４１２ａを有し、且つ第１の外側面４１１ａが第１のエアーメッシュ生地層２００ａに向かう。第２の中間生地層４２０ａは、第２の外側面４２１ａ及び第２の内側面４２２ａを有し、第２の外側面４２１ａが第２のエアーメッシュ生地層３００ａに向かい、且つ第２の内側面４２２ａが第１の内側面４１２ａに向かい、第１の内側面４１２ａに積層して接続される。複数の第３の中間生地層４３０ａは、第１の中間生地層４１０ａと第２の中間生地層４２０ａとの間に積層して設けられる。裏地生地層５００は、第２のエアーメッシュ生地層３００ａに部分的に接続されてポケット構造５１０を形成する。
【００３０】
図５の実施例において、メッシュ生地介在層４００ａの第１の中間生地層４１０ａ、第２の中間生地層４２０ａ及び各第３の中間生地層４３０ａの材質は、何れもエアーメッシュ生地であり、エアーメッシュ生地の優れた通気特性によってブラジャーカップ構造１００ａに良好な通気性を持たせ、更に使用者が着用時の蒸し暑く、湿り等の不快感の発生する状況を低減させることができる。
【００３１】
図６に示すように、第３の中間生地層４３０ａの数が４であり、且つ各第３の中間生地層４３０ａの面積は、同時に第１の中間生地層４１０ａの面積と第２の中間生地層４２０ａの面積よりも小さい。第２のエアーメッシュ生地層３００ａは、上記積層して配置される第３の中間生地層４３０ａの位置に対応して、第２のエアーメッシュ生地層３００ａの表面（未図示）から突出する突起部３１０ａが形成される。これによって、複数層のエアーメッシュ生地で接続して配置されるブラジャーカップ構造１００ａは、従来のブラジャーカップが変形しやすく且つ乳首が突出するという欠点を避けて、更にブラジャーカップ構造１００ａの使用寿命を延長させ着用の美しさを向上させることもできる。なお、第１のエアーメッシュ生地層２００ａ、第２のエアーメッシュ生地層３００ａ及びメッシュ生地介在層４００ａの緊密な積層接続によってブラジャーカップ構造１００ａに良好な弾性を付与し、突起部３１０ａの配置によって、更にブラジャーカップ構造１００ａで乳房を支持する補助構造を提供して、胸の美しさを向上させることができる。
【００３２】
図７を参照されたい。それは、図５に示す実施例のブラジャーカップ構造１００ａの切断線５−５を沿う断面図である。図７に示すように、ブラジャーカップ構造１００ａは、外側面１０１ａ及び内側面１０２ａを有し、外側面１０１ａから内側面１０２ａへ、第１のエアーメッシュ生地層２００ａ、メッシュ生地介在層４００ａ、第２のエアーメッシュ生地層３００ａ及び裏地生地層５００の順序で設置される。ブラジャーカップ構造１００ａの外側面１０１ａは、第１のエアーメッシュ生地層２００ａの２側面における第２のエアーメッシュ生地層３００ａと接続しない側面であり、ブラジャーカップ構造１００ａの内側面１０２ａは、裏地生地層５００の２側面における第２のエアーメッシュ生地層３００ａと接続しない側面であり、且つ第３の中間生地層４３０ａの面積は、ブラジャーカップ構造１００ａの外側面１０１ａから内側面１０２ａへ逓減し、突起部３１０ａがブラジャーカップ構造１００ａの内側面１０２ａから突出する。第３の中間生地層４３０ａの面積が順にブラジャーカップ構造１００ａの外側面１０１ａから内側面１０２ａへ逓減する配置によって、突起部３１０ａがブラジャーカップ構造１００ａの内側面１０２ａに凸設される滑らかな突起構造を形成して、効果的に乳房を支持すると共に、ブラジャーカップ構造１００ａが乳房と接触する時の異物感を減少して、更に着用の快適さを向上させることができる。
【００３３】
図５及び図７に示すように、裏地生地層５００は、第２のエアーメッシュ生地層３００ａに部分的に接続されてポケット構造５１０を形成する。ポケット構造５１０は、ブラパッド、餃子型パッド等のアップ補助材料を収納するために用いられて、更に乳房を支持し胸を美しくすることができる。
【００３４】
説明すべきなのは、上記メッシュ生地介在層４００ａの第１の中間生地層４１０ａ、第２の中間生地層４２０ａ及び各第３の中間生地層４３０ａの材質は、エアーメッシュ生地材質であってもよいが、実際のニーズに応じて他の軽量の材質で交換してもよく、且つ上記の第１のエアーメッシュ生地層２００ａ、第２のエアーメッシュ生地層３００ａ、第１の中間生地層４１０ａ、第２の中間生地層４２０ａ及び裏地生地層５００ａの面積を実際のニーズに応じて調整してもよい。なお、第３の中間生地層４３０ａの数は実際のニーズに応じて配置されてもよいが、４つに限定されない。各第３の中間生地層４３０ａの面積を実際のニーズに応じて調整してもよく、且つ本考案は、上記説明又は図面の開示に限定されない。
【００３５】
上記実施例を纏めると、本考案のブラジャーカップ構造のメリットは、以下の通りである。一、第１のエアーメッシュ生地層、第２のエアーメッシュ生地層及びメッシュ生地介在層の複数層のエアーメッシュ生地の積層配置によって、更に従来のブラジャーカップ構造における充填物を置換して、使用者が着用時の蒸し暑く、湿り等の不快感の発生する状況を低減させるだけでなく、良好な弾性と通気性を持たせ、更に安全、快適の前提で良好な乳房支持効果を達成する。二、面積が順に逓減し積層して配置される第３の中間生地層、及びそれが第２のエアーメッシュ生地層に対応して形成される滑らかな突起部によって、効果的に乳房を支持すると共に、ブラジャーカップ構造が乳房と接触する時の異物感を減少させ、更に着用の快適さを向上させることができる。三、複数層のエアーメッシュ生地が積層して接続される配置のブラジャーカップ構造は、従来のブラジャーカップが変形しやすく且つ乳首が突出するという欠点を避けて、更にブラジャーカップ構造の使用寿命を延長させ着用の美しさを向上させることもできる。
【００３６】
本考案は実施形態を前述の通りに開示したが、これは本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基準とするものである。
【符号の説明】
【００３７】
１００，１００ａ  ブラジャーカップ構造、１０１，１０１ａ  外側面、１０２，１０２ａ  内側面、２００，２００ａ  第１のエアーメッシュ生地層、３００，３００ａ  第２のエアーメッシュ生地層、３１０，３１０ａ  突起部、４００，４００ａ  メッシュ生地介在層、４１０，４１０ａ  第１の中間生地層、４１１，４１１ａ  第１の外側面、４１２，４１２ａ  第１の内側面、４２０，４２０ａ  第２の中間生地層、４２１，４２１ａ  第２の外側面、４２２，４２２ａ  第２の内側面、４３０，４３０ａ  第３の中間生地層、５００  裏地生地層、５１０  ポケット構造、２−２，５−５  切断線。
【図１】
0003216261.tif 000003
【図２】
0003216261.tif 000004
【図３】
0003216261.tif 000005
【図４】
0003216261.tif 000006
【図５】
0003216261.tif 000007
【図６】
0003216261.tif 000008
【図７】
0003216261.tif 000009